(57)【要約】  【課題】エアバッグにより、自動車の前部のフードを迅速に移動させる。  【解決手段】フード３の後端の下方に、折り畳んだエアバッグ21を収納する。エアバッグ21には、フード３を押し上げるフード押動部を設けた第１の気室41と、Ａピラーを覆うピラー被覆部46を設けた第２の気室42とを設ける。第２の気室42は、Ａピラーの長手方向に沿った折り線で折り返した後、巻回して折り畳む。第１の気室41は、第２の気室42を包むように折り畳む。車体１と歩行者とが衝突すると、インフレータ22が起動し、エアバッグ21の第１の気室41にガスを供給する。展開の初期には、ガスは第１の気室41に留まり、この第１の気室41を展開させる。この展開の圧力により、フード３の後端部を所定の寸法だけ押し上げ、フード３が変形する空間を確保する。この後、ガスが第２の気室42に供給され、第２の気室42のピラー被覆部46が展開する。  【選択図】図１
2006069291.tif 000002
【特許請求の範囲】
【請求項１】
車両の前部に設けられたフードと、このフードの後方に位置するウインドシールドと、このウインドシールドの両側部を支持する一対のピラー部とを備えた車両の前記フードの後部下方に折り畳んで収納され、ガスが供給されて展開し、前記フードを押圧して上方に移動させる第１の気室と、この第１の気室からガスが供給されて展開し、前記ピラー部の少なくとも一部を覆う第２の気室とを備えたエアバッグの折畳方法であって、
前記第２の気室を、所定の折り線に沿って両側方向の内側に向かって折り返し、この折り返した部分を前記第１の気室側に集積する
ことを特徴とするエアバッグの折畳方法。
【請求項２】
第２の気室は、ピラー部の長手方向に沿って展開し、所定の折り線は、ピラー部の長手方向に沿って設定された
ことを特徴とする請求項１記載のエアバッグの折畳方法。
【請求項３】
第２の気室は、所定の折り線に沿って両側方向の内側に向かって折り返した後、この折り返した部分を先端側から巻回して第１の気室側に集積する
ことを特徴とする請求項１または２記載のエアバッグの折畳方法。
【請求項４】
第２の気室は、折り返した部分を先端側からピラー部側に巻回して集積する
ことを特徴とする請求項３記載のエアバッグの折畳方法。
【請求項５】
車両の前部に設けられた変形可能なフードと、このフードの後方に位置するウインドシールドと、このウインドシールドの両側部を支持する一対のピラー部とを備えた車両の前記フードの後部下方に折り畳んで収納される請求項１ないし４いずれか一記載のエアバッグと、
このエアバッグにガスを供給するインフレータと、
非乗員との衝突を検出して前記インフレータを動作させる制御手段と、
前記フードの後部を上方に移動可能に支持する支持部と
を具備したことを特徴とする非乗員保護装置。
【発明の詳細な説明】
【技術分野】
【０００１】
本発明は、万が一歩行者などの非乗員と車両との衝突が避けられない場合に、衝突した非乗員の保護を図る非乗員保護用のエアバッグの折畳方法及び非乗員保護装置に関する。
【背景技術】
【０００２】
従来、万が一車両と歩行者との衝突が避けられない場合に、歩行者への衝撃の緩和を図るいわゆる歩行者保護エアバッグを備えた歩行者保護装置が提案されている。この歩行者保護装置は、車体前部のフードの後端部を上昇可能に支持するとともに、このフードの後端下方に袋状のエアバッグを折り畳んで収納している。そして、この歩行者保護装置は、車両と歩行者との衝突を検出した際に、ガスを供給してエアバッグを展開させ、このエアバッグでフードの後端部を持ち上げて、はね上げられた歩行者がフードにいわゆる二次衝突した際のフードが変形する空間を確保して衝撃吸収特性を向上するとともに、このエアバッグでフロントガラスの両側のピラー部を覆い、歩行者の頭部などがピラー部に衝突する際の衝撃の緩和を図っている。そして、エアバッグは、展開力でフードを持ち上げる部分の両端部が上側に突設されてピラー部を覆う部分となり、前方から見て略Ｕ字状の袋状に形成されている（例えば、特許文献１参照。）。
【特許文献１】特開２０００−２６４１４６号公報  （第１頁、図３−４）
【発明の開示】
【発明が解決しようとする課題】
【０００３】
上記の歩行者保護装置では、フードの変形の空間を確保し、また、エアバッグのピラー部を覆う部分を持ち上げたフードとカウル部との隙間から円滑迅速に展開させるためには、フードを所定の距離だけ迅速に持ち上げるとともに、持ち上げた位置で安定して保持する必要がある。しかしながら、フードの質量は小さいものではなく、フードを迅速に持ち上げるためには、エアバッグにガスを供給するインフレータの容量を大きくするなどの必要がある問題を有している。
【０００４】
本発明は、このような点に鑑みなされたもので、エアバッグによりフードを迅速に移動できるエアバッグの折畳方法及び非乗員保護装置を提供することを目的とする。
【課題を解決するための手段】
【０００５】
請求項１記載のエアバッグの折畳方法は、車両の前部に設けられたフードと、このフードの後方に位置するウインドシールドと、このウインドシールドの両側部を支持する一対のピラー部とを備えた車両の前記フードの後部下方に折り畳んで収納され、ガスが供給されて展開し、前記フードを押圧して上方に移動させる第１の気室と、この第１の気室からガスが供給されて展開し、前記ピラー部の少なくとも一部を覆う第２の気室とを備えたエアバッグの折畳方法であって、前記第２の気室を、所定の折り線に沿って両側方向の内側に向かって折り返し、この折り返した部分を前記第１の気室側に集積するものである。
【０００６】
そして、この構成では、車両に非乗員が衝突すると、エアバッグの第１の気室にガスが供給され、この第１の気室が展開して、フードを押圧して上方に移動させる。次いで、第１の気室から第２の気室にガスが供給され、第２の気室が展開してピラー部の少なくとも一部を覆う。車両の前部に衝突しはね上げられた非乗員がさらにフードに衝突した際に、フードの変形に要する空間が確保され、衝撃吸収特性が向上する。また、ピラー部の少なくとも一部がエアバッグで覆われ、非乗員がピラー部に衝突する際の衝撃が緩和される。そして、エアバッグの第２の気室は、所定の折り線に沿って両側方向の内側に向かって折り返され、さらに、この折り返した部分が第１の気室側に集積して折り畳まれているため、展開初期に第１の気室に供給されたガスの第２の気室への供給が抑制され、展開初期に第１の気室が迅速に展開し、フードを迅速に所定の位置に移動させて、フードの変形による衝撃吸収特性を容易に向上し、非乗員が効果的に保護される。また、エアバッグの第２の気室は、所定の折り線に沿って両側方向の内側に向かって折り返されているため、両側方向について小さい寸法で折り畳まれるとともに、第１の気室が十分に展開してフードを所定の位置に移動させた状態では、フードの後端の下方の隙間から他の部材に干渉することなく後方さらには両外側方に円滑に展開し、非乗員が効果的に保護される。
【０００７】
請求項２記載のエアバッグの折畳方法は、請求項１記載のエアバッグの折畳方法において、第２の気室は、ピラー部の長手方向に沿って展開し、所定の折り線は、ピラー部の長手方向に沿って設定された
ものである。
【０００８】
そして、この構成では、エアバッグがピラー部に沿って円滑に展開するとともに、両側方向について小さい寸法で折り畳むことが可能になる。
【０００９】
請求項３記載のエアバッグの折畳方法は、請求項１または２記載のエアバッグの折畳方法において、第２の気室は、所定の折り線に沿って両側方向の内側に向かって折り返した後、この折り返した部分を先端側から巻回して第１の気室側に集積するものである。
【００１０】
そして、この構成では、先端側から巻回して集積することにより、エアバッグの展開初期に第２の気室へのガスの供給を効果的に抑制し、第１の気室が迅速に展開する。
【００１１】
請求項４記載のエアバッグの折畳方法は、請求項３記載のエアバッグの折畳方法において、第２の気室は、折り返した部分を先端側からピラー部側に巻回して集積するものである。
【００１２】
そして、この構成では、第２の気室の展開時に、この第２の気室をピラー部に沿って展開させることが容易になる。
【００１３】
請求項５記載の非乗員保護装置は、車両の前部に設けられた変形可能なフードと、このフードの後方に位置するウインドシールドと、このウインドシールドの両側部を支持する一対のピラー部とを備えた車両の前記フードの後部下方に折り畳んで収納される請求項１ないし４いずれか一記載のエアバッグと、
このエアバッグにガスを供給するインフレータと、非乗員との衝突を検出して前記インフレータを動作させる制御手段と、前記フードの後部を上方に移動可能に支持する支持部とを具備したものである。
【００１４】
そして、この構成では、請求項１ないし４いずれか一記載のエアバッグを用いたため、車両に非乗員が衝突した際に、フードを迅速に所定の位置に移動させるとともに、エアバッグで円滑にピラー部を覆い、車両に衝突した非乗員がフードの変形とピラー部を覆うエアバッグとにより効果的に保護される。
【発明の効果】
【００１５】
本発明によれば、車両に非乗員が衝突した際に、フードを迅速に所定の位置に移動させるとともに、エアバッグで円滑にピラー部を覆い、車両に衝突した非乗員をフードの変形とピラー部を覆うエアバッグとにより効果的に保護できる。
【発明を実施するための最良の形態】
【００１６】
以下、本発明のエアバッグの折畳方法及び非乗員保護装置の一実施の形態を図面を参照して説明する。
【００１７】
図１及び図２において、１は車両である自動車の車体で、この車体１には、前部のエンジンルーム２を覆うフード３と、エンジンルーム２の後方に位置する車室４を覆うウインドシールドとしてのフロントガラス５と、これらエンジンルーム２と車室４との間のカウル部７を覆うカウルトップカバー８となどが取り付けられているとともに、フード３の後端下方などに位置して、非乗員保護装置である歩行者保護装置10が備えられている。なお、以下、前方（矢印Ｆ方向）、上方（矢印Ｕ方向）、及び両側方向（矢印Ｗ方向）などの方向は、車体１の直進方向を基準として説明する。
【００１８】
そして、フード３は、ボンネットフードあるいはフロントフードなどとも呼ばれるもので、車体１の前部に設けられ、１枚あるいは複数枚の金属板などから形成されているとともに、いわゆる歩行者傷害軽減ボディを構成し、歩行者が衝突した際に、容易に変形して衝撃を吸収するようになっている。また、このフード３は、後端部近傍の両側部に設けたヒンジ機構である一対の支持部12を支点すなわち回転軸として開閉可能に設けられているとともに、歩行者保護装置10の動作時には、各支持部12がフード３の後端部を所定の距離だけ上昇可能に支持するようになっている。
【００１９】
また、フロントガラス５は、両側部がピラー部としてのＡピラー14により支持されているとともに、前端部近傍の下面が、シール部15を介してカウルトップパネル16により支持されている。
【００２０】
さらに、カウル部７は、エアボックスなどとも呼ばれるもので、カウルトップパネル16とこのカウルトップパネル16の前方に位置する車体パネル17との間に上側を開口した樋状に設けられ、この開口を覆ってカウルトップカバー８が取り付けられている。そして、このカウル部７に、ワイパーを駆動するモータなどが配置されているとともに、空調装置の空気取入部などが接続されている。また、カウルトップカバー８は、後端部がフロントガラス５に嵌合して支持されているとともに、前側部は車体パネル17に設けられた支持台部18上に支持されている。
【００２１】
また、歩行者保護装置10は、いわゆる歩行者保護エアバッグ装置であり、車体１の前側であるフード３の後端部の下方のカウル部７に折り畳んで収納した袋状のエアバッグ21を備えている。そして、このエアバッグ21にガスを供給して展開させることにより、フード３の後端部を持ち上げてフード３の下方に変形領域を確保し、フード３の衝撃吸収特性を向上するとともに、展開したエアバッグ21でカウル部７の上面とＡピラー14の前面の少なくとも一部を覆うようになっている。すなわち、この歩行者保護装置10は、エアバッグ21と、このエアバッグ21にガスを供給するインフレータ22と、これらエアバッグ21及びインフレータ22を固定するリテーナ24と、これら部材を収納するケース25と、図示しない制御装置とを備えている。
【００２２】
そして、エアバッグ21は、図１ないし図５に示すように、２枚の基布の外周部同士を外周縫合線31で縫い合わせて外殻とした袋状に形成され、全体として、両側方向に延びる基部33と、この基部33の両側方向の端部から突設された突設部34とで略Ｕ字状をなしている。さらに、この外殻の内側には、基部33の長手方向に沿って、基布にて形成された隔壁部36が外殻を構成する各基布に内側縫合線37で縫い合わされている。また、この隔壁部36の両端部近傍には、円孔状などをなす通気部である連通部38が形成されている。そして、この隔壁部36により、エアバッグ21の内側の、本実施の形態では基部33が、連通部38を除いて、第１の気室41と、第２の気室42とに略気密に区画されている。言い換えれば、第１の気室41と、第２の気室42とは、連通部38のみで互いに連通するように形成されている。
【００２３】
そして、第１の気室41は、展開時に少なくとも一部がフード３の下側に位置する前側の気室であり、フード３を押し上げるフード押動部43と、このフード押動部43の後側に連通するカウル被覆部44とを備え、この第１の気室41には、インフレータ22とリテーナ24とが両側に対をなして収納されている。また、第１の気室41は、全体としては、前後方向の寸法が略一定で両側方向を長手方向として形成されているが、両側の端部は、連通部38すなわち第２の気室42に向かって拡開する傾斜面45として形成されている。すなわち、図２に示すように、ガスＧが第１の気室41から第２の気室42に流れる部分において、第１の気室41の前側の辺と傾斜面45とのなす角度θについて、直角より大きく（θ＞９０）設定している。すなわち、フード押動部43からカウル被覆部44に向けて両側方向の寸法が拡開し、フード押動部43よりも第１の気室41のカウル被覆部44の幅寸法が大きく形成されている。さらに、この傾斜面45は、第２の気室42の両側部に滑らかに連続し、第１の気室41のカウル被覆部44よりも、第２の気室42の幅寸法が大きくなるように形成されている。そして、第２の気室42は、第１の気室41の後側に位置する後側の気室であり、各突設部34で構成されるピラー被覆部46と、基部33の上側部であるカウル被覆部47とで構成されている。また、図示しないが、これらの基布には、必要に応じて、防炎布などとも呼ばれる補強布が重ねて縫い合わされている。
【００２４】
また、各インフレータ22は、ガス発生器であり、図２に示すように、略円柱状の本体部22aを備えるとともに、この本体部22aの一端側にガス噴射部22bが設けられている。そして、このインフレータ22は、図示しないコネクタに点火信号が供給されることにより、内部に充填した推進薬を反応させ、あるいは、内部のボンベに貯留したガスを開放などして、ガス噴射部22bの周面に設けた複数の孔部からガスを噴射する。なお、この実施の形態では、２本のインフレータ22は、ガス噴射部22bが互いに反対側を向くように配置されている。
【００２５】
また、リテーナ24は、金属板を折曲などして形成したリテーナ本体部49と、このリテーナ本体部49に固定されたボルト50とを備えたインフレータ固定具である。そして、リテーナ本体部49は、インフレータ22を固定するとともに、ガス噴射部22bから噴射されたガスを案内するようになっている。また、図１に示すように、ボルト50には、ナット51が螺合するようになっている。
【００２６】
さらに、ケース25は、上側を開口した溝状をなすケース本体部54と、このケース本体部54の上側の開口を覆う蓋部55とを備えている。そして、本実施の形態では、ケース本体部54は、カウルトップカバー８と一体に形成されている。一方、蓋部55は、カウルトップカバー８とは別体で、長手方向に沿って弱部である破断可能な破断部としてのテアライン56が形成されている。
【００２７】
また、各インフレータ22のコネクタには、ハーネスを介して、図示しない制御装置に接続されている。この制御装置は、ＣＰＵなどを備えるとともに、検出手段である複数のセンサを備え、歩行者と車体１との衝突を検出して、各インフレータ22を作動させる。
【００２８】
また、支持部12は、ケース25の両側すなわち折り畳んで収納されたエアバッグ21の両側に位置して、車体パネル17側とフード３の後端部近傍とを接続している。そして、各支持部12は、例えば、細長い２枚の金属板のリンク軸の一端同士を軸部で回動可能に接続するとともに、一方のリンク軸の他端を車体パネル17側に接続し、他方のリンク軸の他端をフード３側に接続して構成されている。そして、通常のフード３の開閉時には、支持部12の軸部が回転軸となってフード３の前端部が上方に回動する。一方、歩行者保護装置10が作動してフード３の後端部に上方に向かう力が加わった際は、軸部が回転するとともに各リンク軸の他端が回転軸となって回動し、フード３の後端部を所定の寸法、例えば５cm程度上方に移動し、前端側を支点として回動できるようになっている。
【００２９】
そして、この歩行者保護装置10の組立工程は、インフレータ22とリテーナ24とを組み合わせた組立体をエアバッグ21の第１の気室41に挿入するとともに、リテーナ24のボルト50をエアバッグ21の外側に引き出した上、エアバッグ21を後述するように所定の形状に折り畳む。そして、折り畳んだエアバッグ21をケース本体部54に挿入するとともに、ボルト50をカウルトップカバー８及び車体パネル17の支持台部18に貫通させ、支持台部18の下側からボルト50にナット51を螺合して締め付ける。すると、リテーナ24により、車体パネル17の支持台部18に、カウルトップカバー８とともに、エアバッグ21の前側の端部及びインフレータ22が固定される。そして、ケース本体部54の上側の開口部を覆い、蓋部55を取り付けるとともに、インフレータ22と制御装置をハーネスで電気的に接続することにより、図１（a）に示すように、歩行者保護装置10が構成される。
【００３０】
次に、このエアバッグ21の折畳状態及び折畳工程を説明する。
【００３１】
このエアバッグ21は、折り畳まれた状態では、図１（a）及び図５に示すように、基本的には第１の気室41と第２の気室42とが別個に折り畳まれ、第１の気室41が展開した後に、第２の気室42が展開するようになっている。そして、第２の気室42の折畳工程は、まず、図３（a）及び（b）に示すように、エアバッグ21を平面上に広げた状態から、両側のピラー被覆部46を、所定の折り線Ａに沿って両側方向Ｗの内側に１回折り返す。そして、ここでは、所定の折り線Ａは、展開時にＡピラー14の長手方向に沿った線であり、さらに本実施の形態では、ピラー被覆部46の幅方向の略中央に沿った線であり、両側方向Ｗに対して上側に向かい若干拡開する傾斜した線となっている。そして、これら両側のピラー被覆部46を折り返した部分を巻回し、図３（b）及び（c）に示すように、第２の気室42をロール状の集積部57として折り畳む。また、この巻回する向きは、上端部である先端部をＡピラー14側すなわち下側に巻き付けた方向であり、この集積部57が展開時に巻き戻される際に、Ａピラー14をこするように回転する向きとなっている。次いで、図５に示すように、第１の気室41を単に袋を扁平に押し広げるようにして上下の腕部58，59を形成し、これら腕部58，59を集積部57に沿わせて包むように、いわゆるアリゲータ状に折り畳む。すなわち、第２の気室42に対して、第１の気室41は、展開抵抗の小さい折り方とされ、第２の気室42より第１の気室41が迅速に展開可能に折り畳まれている。そして、このように折り畳んだ状態で、図示しない破断可能なラップ部材などで形状を保持し、折畳工程が終了する。
【００３２】
次に、この歩行者保護装置10の動作を説明する。
【００３３】
まず、図１（a）に示すように、折り畳んだエアバッグ21をケース25に収納した状態で、制御装置が車体１の前部と歩行者との衝突を検出すると、制御装置は、信号すなわち電力を供給して、インフレータ22を起動させる。すると、このインフレータ22は、ガス噴射部22bから第１の気室41にガスＧを供給する。この時、エアバッグ21は、第２の気室42より第１の気室41が迅速に展開可能に折り畳まれているとともに、隔壁部36により第１の気室41と第２の気室42とに区画されており、これら第１の気室41と第２の気室42とは通気抵抗の大きい連通部38のみを介して互いに連通しているため、展開の初期の状態では、図１（b）に示すように、インフレータ22から供給されたガスＧは第１の気室41に留まり、この第１の気室41を迅速かつ確実に展開させる。そして、この展開の圧力により、フード３の後端部を所定の寸法だけ押し上げる。この状態で、第１の気室41のフード押動部43によりフード３とエンジンルーム２内の部材との間に隙間が確保されるとともに、第１の気室41のカウル被覆部44によりカウル部７の一部が覆われる。
【００３４】
さらに、第１の気室41が十分に展開した状態で、両側方向の両端部近傍に設けた連通部38を介してガスＧが第１の気室41から第２の気室42に供給され、図１（b）及び（c）に示すように、Ａピラー14をこするように回転しながら集積部57が巻き戻され、さらに、折り線Ａから外側に展開して、第２の気室42のピラー被覆部46とカウル被覆部47とが展開する。そして、ピラー被覆部46によりＡピラー14の一部あるいは全部が覆われるとともに、カウル被覆部47にカウル部７のワイパー及びフロントガラス５の下端部などが覆われる。
【００３５】
すなわち、エアバッグ21は、第１の気室41のフード押動部43が両側の支持部12同士の間に位置し、第１の気室41のカウル被覆部44及び第２の気室42は、第１の気室41の後方に位置するとともに、支持部12より側方に膨出するようにして展開する。
【００３６】
この状態で、はね上げられるなどした歩行者がフード３に衝突すると、フード３は十分なストロークを持って変形し、所定の衝撃吸収特性を発揮し、歩行者に対する衝撃を緩和する。さらに、第２の気室42によりＡピラー14やカウル部７の凹凸のある部材などが覆われ、これら部材と歩行者との衝突を回避し、歩行者を保護するようになっている。
【００３７】
このように、本実施の形態によれば、自動車のカウル部７に配置されるいわゆる歩行者保護エアバッグ（歩行者用エアバッグ）において、折り畳んで収納されたエアバッグ21の折畳方法について、まず、後側に位置する第２の気室42のピラー被覆部46を幅を小さくするように所定の折り線Ａで車体１の内側に向けて折り返し、その後、ピラー被覆部46の先端部から第１の気室41のフード押動部43の上端の部分まで巻回して折り畳むとともに、フード押動部43はピラー被覆部46よりも展開抵抗が小さく展開しやすい折畳形状としている。そこで、インフレータ22からフード押動部43にガスを供給することにより、展開初期の後方及び外側方に向かう動きを抑制し、展開初期の圧力をフード３の幅に適合したフード押動部43に集中させ、フード押動部43を迅速に展開させ、エアバッグ21により十分な圧力で迅速にフード３を持ち上げることができる。
【００３８】
また、エアバッグ21の内側を単一の気室とはせずに仕切を設けて複数の気室を設け、本実施の形態では、エアバッグ21の内側に隔壁部36を設け、フード３を持ち上げる第１の気室41と、Ａピラー14及びフロントガラス５の下端部を含むカウル部７を覆う第２の気室42とを区画したため、エアバッグ21が十分な圧力で迅速にフード３を持ち上げるとともに、第２の気室42から第１の気室41にガスが戻りにくくなり、圧力を保持したエアバッグ21により持ち上げたフード３の位置を安定して保持することができ、フード３の跳ね返りなどを抑制できる。
【００３９】
さらに、迅速かつ安定してフード３を持ち上げることができるため、フード３の後端部とこのフード３の下方のカウルトップカバー８との間に安定して隙間を確保でき、すなわち、十分に持ち上げられたフード３の下方の隙間から、周辺の部材に干渉することなく、迅速かつ円滑に第２の気室42のピラー被覆部46などを展開して、Ａピラー14やフロントガラス５の下端部を含むカウル部７を覆うことができる。
【００４０】
また、第２の気室42のピラー被覆部46は、Ａピラー14の長手方向に沿った折り線Ａで折り返し、先端側から巻回することにより、両側方向Ｗについて小さい寸法で折り畳みできるとともに、このＡピラー14の長手方向に沿って巻戻るように展開させることができる。さらに、第２の気室42のピラー被覆部46は、上端部である先端部をＡピラー14側すなわち下側に巻き付けるように巻回したため、Ａピラー14をこするようにＡピラー14及びフロントガラス５に極めて近接して展開させることができる。
【００４１】
また、第１の気室41のフード押動部43は、両側の支持部12同士の間の比較的両側方向Ｗの寸法が小さい空間で展開し、第１の気室41のカウル被覆部44及び第２の気室42は、フード押動部43よりも両側方向Ｗの寸法が大きい空間で展開するが、第１の気室41の側部は、後方に向かって外側に拡開する傾斜面45としたため、第１の気室41内及び第１の気室41から第２の気室42にかけて円滑にガスが流れるとともに、支持部12がエアバッグ21の展開に干渉せず、支持部12より外側の部分についても円滑かつ迅速に展開させることができる。
【００４２】
なお、上記の実施の形態では、第１の気室41のフード押動部43は、いわゆるアリゲータ状に折り畳んだが、この構成に限られず、例えば、蛇腹状に折り畳むこともできる。例えば、図６に示すように、フード押動部43を蛇腹状に折り畳み、このフード押動部43上に載せるようにして、ロール状に折り畳んだ第２の気室42のピラー被覆部46を配置することができる。
【００４３】
また、上記の実施の形態では、第２の気室42のピラー被覆部46は、Ａピラー14の長手方向に沿った所定の折り線Ａで１回折り返したが、複数の折り線に沿って折り返し、幅寸法を小さくし、あるいは、展開抵抗を大きくすることもできる。例えば、図７に示すように、両側のピラー被覆部46にそれぞれ第１の折り線A1と第２の折り線A2とを設定し、図７（a）及び（b）に示すように、まず、第１の折り線A1に沿って内側に折り返した後、図７（b）及び（c）に示すように、折り返した部分を外側に折り返すこともできる。そして、この図７（c）に示す状態から、上記の実施の形態と同様に、ピラー被覆部46をロール状などに折り畳むことができる。
【００４４】
また、折り線Ａは、Ａピラー14の長手方向に沿って設定する他、位置をずらして設定することもできる。さらに、例えば、図８に示すように、第２の気室42のピラー被覆部46すなわち突設部34よりも内側に位置して、折り線Ｂを設定することもできる。
【００４５】
また、上記の実施の形態では、第２の気室42のピラー被覆部46は、上端部である先端部をＡピラー14側すなわち下側に巻き付けるように巻回したが、反対に、上端部である先端部を反Ａピラー14側すなわち上側から前側に巻き付けるように巻回することもできる。この構成では、ピラー被覆部46は、Ａピラー14上を転がるようにして迅速に展開させることができる。
【００４６】
さらに、上記の実施の形態では、各突設部34すなわち、各ピラー被覆部46は、エアバッグ21を平面上に広げた状態で、先端側が拡開する方向に傾斜しているが、この構成に限られず、基部41に対して略垂直に配置し、あるいは、先端側が互いに若干接近する方向に傾斜させることもできる。また、本実施の形態では、連通部38は、隔壁部36に形成した複数の円孔で構成され、各円孔は、一部がピラー被覆部46に向かい、他がカウル被覆部47に向かうように形成したが、スリット状など他の形状などを採ることもできる。
【００４７】
また、上記の実施の形態では、隔壁部36は、基本的には１枚の基布を基部33の前後方向の中間位置で両側方向Ｗに沿ってほぼ全長にわたって配置して構成したが、この構成に限られず、複数枚の基布で構成し、あるいは、基部33と複数の突設部34との境界部分にそれぞれ隔壁部36を設けることももできる。また、第１の気室41と第２の気室との間の隔壁部36は省略することもできる。さらに、エアバッグ21内の気室にガスの流れを案内するガス案内手段を設け、所望の展開特性を実現することもできる。
【産業上の利用可能性】
【００４８】
本発明は、前部にフードを備えた車両に適用できる。
【図面の簡単な説明】
【００４９】
【図１】本発明の非乗員保護装置の一実施の形態を示す説明図であり、（a）はエアバッグの展開前、（b）はエアバッグの展開初期、（c）は（b）に続く状態である。
【図２】同上非乗員保護装置の説明図である。
【図３】同上エアバッグの折畳方法の説明図である。
【図４】同上非乗員保護装置の図３のＩ−Ｉ相当位置の説明図である。
【図５】同上非乗員保護装置の説明図である。
【図６】本発明の非乗員保護装置の他の実施の形態を示す説明図である。
【図７】本発明のエアバッグの折畳方法の他の実施の形態を示す説明図である。
【図８】本発明のエアバッグの折畳方法のさらに他の実施の形態を示す説明図である。
【符号の説明】
【００５０】
３    フード
５    ウインドシールドとしてのフロントガラス
10    非乗員保護装置としての歩行者保護装置
12    支持部
14    ピラー部としてのＡピラー
21    エアバッグ
22    インフレータ
41    第１の気室
42    第２の気室
Ａ    折り線
【図１】
2006069291.tif 000003
【図２】
2006069291.tif 000004
【図３】
2006069291.tif 000005
【図４】
2006069291.tif 000006
【図５】
2006069291.tif 000007
【図６】
2006069291.tif 000008
【図７】
2006069291.tif 000009
【図８】
2006069291.tif 000010